(57)【要約】【課題】単一の防食用電極により水中電動ポンプ等の接水金属部の全ての部位に防食効果を及ぼすことができ、しかもその防食効果が半永久的で防食用電極の交換を必要とすることなく、メンテナンス性に優れた腐食防止装置を提供する。【解決手段】水槽２内に設置された水中電動回転機械１のモータ部より防食配線４ａを導出して防食電源装置５のマイナス側端子に接続し、防食電源装置５のプラス側端子より導下された電極用ケーブル４ｂの先端に不溶性の防食用電極６を接続し、該防食用電極６を水槽２内において水中電動回転機械１と非接触状態により対設させた。【選択図】        図１
2005171863.tif 000002
【特許請求の範囲】
【請求項１】
水中に設置された水中電動回転機械のモータ部より防食配線を導出して防食電源装置のマイナス側端子に接続し、防食電源装置のプラス側端子より導下された電極用ケーブルの先端に不溶性の防食用電極を接続し、該防食用電極を水中において水中電動回転機械と非接触状態により対設させたことを特徴とする、水中電動回転機械の腐食防止装置。
【請求項２】
電極用ケーブルの先端に接続された不溶性の防食用電極が、水中と連通するよう付設された電極保護ホルダー内に収容させた態様により水中電動回転機械と非接触状態に対設されていることを特徴とする、請求項１記載の水中電動回転機械の腐食防止装置。
【請求項３】
水中に縦設されたガイドパイプに沿って昇降する着脱式水中電動回転機械において、該着脱式水中電動回転機械から導出されてガイドパイプと係合するガイドフックの上方に、上開状の竪穴および水中との連通手段を有する電極保護ホルダーを付設し、該電極保護ホルダーの上方でガイドパイプと係合する電極用ガイドプレートを横設し、該電極用ガイドプレートの中心に電極嵌着用の貫通孔を穿設し、水中における着脱式水中電動回転機械のモータ部より導出された防食配線を防食電源装置のマイナス側端子に接続し、該防食電源装置のプラス側端子より導下された電極用ケーブルの先端に不溶性の防食用電極を接続し、該防食用電極が電極嵌着用の貫通孔を介して電極保護ホルダーの竪穴へ嵌入された態様により着脱式水中電動回転機械と非接触状態に対設されるよう構成したことを特徴とする、着脱式水中電動回転機械の腐食防止装置。
【発明の詳細な説明】
【技術分野】
【０００１】
本発明は、水中電動ポンプや曝気・攪拌装置など、水中電動回転機械および着脱式水中電動回転機械の腐食防止装置に関するものである。
【背景技術】
【０００２】
水中電動ポンプ等の接水金属部に腐食が生じることを防止するため、水中電動ポンプ等よりもイオン化傾向の大きい低電位の金属からなる防食部材を犠牲陽極として要所要所に配設するという構成は公知である(例えば、特許文献１参照）。このような構成において水中電動ポンプ等と各防食部材との相互間に水中を通じて電気の流れを生じ、各防食部材の水中への溶解により水中ポンプ等の腐食が防止されることになる。しかし水中電動ポンプ等の接水金属部の全ての部位に防食効果をもたらすためには、多数の防食部材を配設しなければならず、構造的に複雑となり設備コストを押し上げる要因となる。また、防食部材が犠牲陽極であるため経時的消耗による取替え作業が必要で、しかもその寿命予測が困難であるためメンテナンスの面でも問題がある。
【特許文献１】特開２０００−３１０１９４号公報（第１図）
【発明の開示】
【発明が解決しようとする課題】
【０００３】
解決しようとする課題は、単一の防食用電極により水中電動ポンプ等の接水金属部の全ての部位に防食効果を及ぼすことができ、しかもその防食効果が半永久的で防食用電極の交換を必要とすることなく、メンテナンス性に優れた腐食防止装置を提供することにある。
【課題を解決するための手段】
【０００４】
本発明では、水中に設置された水中電動回転機械のモータ部より防食配線を導出して防食電源装置のマイナス側端子に接続し、防食電源装置のプラス側端子より導下された電極用ケーブルの先端に不溶性の防食用電極を接続し、該防食用電極を水中において水中電動回転機械と非接触状態により対設させたことを最も主要な特徴とする。
【発明の効果】
【０００５】
本発明によれば、多数の防食部材（犠牲陽極）を必要とすることなく、単一の不溶性の防食用電極によって水中電動回転機械における接水金属部の全ての部位に防食効果を及ぼすことができるので、構造的に簡潔となりローコストに設備し得るという利点がある。また、本発明によれば、水中電動回転機械における接水金属部が溶出することを防止し得るのみでなく、防食用電極自体も溶出することなく防食効果が得られるので、防食用電極の交換を要することなく半永久的な防食機能を維持することができ、メンテナンス性にも優れた腐食防止装置が提供されることになる。
【発明を実施するための最良の形態】
【０００６】
水槽内に設置された水中電動回転機械のモータ部より防食配線を導出して防食電源装置のマイナス側端子に接続し、防食電源装置のプラス側端子より導下された電極用ケーブルの先端に不溶性の防食用電極を接続し、水槽内と連通するよう付設された電極保護ホルダー内に前記防食用電極を収容させた態様により水中電動回転機械と対設させる。
【実施例１】
【０００７】
図１および図２において、１は水中電動ポンプなどの水中電動回転機械であり、図１では水槽２内に立設されたガイドパイプ３に沿って昇降する着脱式のものが例示され、図２では非着脱式ものが例示されている。４ａは水中電動回転機械１のモータ部より導出されて防食電源装置５のマイナス側端子に接続される防食配線、４ｂは防食電源装置５のプラス側端子より導下された電極用ケーブルであり、該電極用ケーブル４ｂの導下先端部には不溶性の防食用電極６が接続されている。該防食用電極６は水槽２内において水中電動回転機械１と電気的に非接触状態により対設されるが、異物の絡み付きを避けるため、図１に示すよう水槽２の壁面に定着された電極保護ホルダー７、或いは図２に示すよう水槽２の槽底部から立設された電極保護ホルダー７内に収容させた態様により、水中電動回転機械１と対設させることが望ましい。これら電極保護ホルダー７には、水槽２内に連通するよう例えば流通孔８が穿設されている。本実施例は、着脱式水中電動回転機械および非着脱式水中電動回転機械のいずれにも適用し得るが、着脱式水中電動回転機械の場合には昇降用のガイドパイプ３を利用して防食用電極６を収容させることも可能であり、この場合にはガイドパイプ３に流通孔８を穿設するなどにより水槽２内とガイドパイプ３内を連通させる手段が必要となる。本実施例において、水中電動回転機械１の接水金属部における各部材同士が電気的に導通しておれば、単一の防食用電極６によって接水金属部の全ての部位に防食効果が及ぶことになり、且つ、接水金属部の溶出を防止し得るのみでなく防食用電極６自体も溶出することなく半永久的に防食機能を維持することになる。
【実施例２】
【０００８】
図１に示すよう、水槽２内に縦設されたガイドパイプ３に沿って昇降する着脱式水中電動回転機械１において、該着脱式水中電動回転機械１から導出されてガイドパイプ３と係合するガイドフック９の上方に、図３に示すよう上開状に竪穴１０を有する電極保護ホルダー１１を付設し、例えば竪穴１０が水槽２内と連通するよう流通溝１４を設け該電極保護ホルダー１１の上方でガイドパイプ３に係合する電極用ガイドプレート１２を横設し、該電極用ガイドプレート１２の中心に電極嵌着用の貫通孔１３を穿設し、図１に示すよう、水槽２内における着脱式水中電動回転機械１のモータ部より導出された防食配線４ａを防食電源装置５のマイナス側端子に接続し、該防食電源装置５のプラス側端子より導下された電極用ケーブル４ｂの先端に、図３に示すよう、不溶性の防食用電極６を接続し、該防食用電極６が電極嵌着用の貫通孔１３を介して電極保護ホルダー１１の竪穴１０へ非接触状態に嵌入されるよう構成する。この構成により、必要時には防食用電極６のみを槽上へ引き上げ、または着脱式水中電動回転機械１と共に防食用電極６を槽上へ引き上げることが可能である。また、本実施例においても実施例１の場合と同様に、着脱式水中電動回転機械１の接水金属部における各部材同士が電気的に導通しておれば、単一の防食用電極６によって接水金属部の全ての部位に防食効果が及ぶことになり、且つ、接水金属部の溶出を防止し得るのみでなく防食用電極６自体も溶出することなく半永久的に防食機能を維持することになる。
【図面の簡単な説明】
【０００９】
【図１】本発明腐食防止装置を装備した着脱式水中電動回転機械の側面図である。
【図２】本発明腐食防止装置を装備した水中電動回転機械の側面図である。
【図３】本発明腐食防止装置を装備した他の実施例における着脱式水中電動回転機械の要部正面図である。
【符号の説明】
【００１０】
１      水中電動回転機械または着脱式水中電動回転機械
３      ガイドパイプ
４ａ    防食配線
４ｂ    電極用ケーブル
５      防食電源装置
６      防食用電極
７      電極保護ホルダー
９      ガイドフック
１０      竪穴
１１      電極保護ホルダー
１２      電極用ガイドプレート
１３      貫通孔
【図１】
2005171863.tif 000003
【図２】
2005171863.tif 000004
【図３】
2005171863.tif 000005